(57)【要約】【課題】形状が斬新で、かつ、製造が容易でコスト削減も可能であり、更に、スーパー等の商品陳列棚に簡単に取り付けることができ、更に、香りの特色などを簡単に確かられる香りお試し具を提供する。【解決手段】胴部１１及び香り噴出管１２を弾力性のある柔らかい合成樹脂によって一体的に形成した容器１０と、前記胴部１１を収容するとともに前記香り噴出管１２を外部に突出させた化粧ケース２１と、該化粧ケース２１に設けたフック部３４から成る。【選択図】図２
0003213765.tif 000002
【実用新案登録請求の範囲】
【請求項１】
胴部及び香り噴出管を弾力性のある柔らかい合成樹脂によって一体的に形成した容器と、前記胴部を収容するとともに前記香り噴出管を外部に突出させた化粧ケースと、該化粧ケースに設けたフック部から成る香りお試し具。
【請求項２】
前記化粧ケースが短冊状の化粧板で形成され、該化粧板をその中央に位置している基準山折り部で山折りして前後２つの胴部カバー部を対向させるとともに、その隙間に容器の胴部を収容する一方、容器の香り噴出管を後方胴部カバー部の第２谷折り部に設けた第２の孔と、前方胴部カバー部の第１山折り部に設けた第１の孔に挿入し、更に、後方胴部カバー部に設けた第２、第３の２つの谷折り部を谷折りしてフック部をＬ字状に屈折させて成る請求項１に記載の香りお試し具。
【請求項３】
前記化粧ケースが短冊状の化粧板で形成され、該化粧板の第１、第２の２つの山折り部を山折りして前後２つの胴部カバー部を対向させるとともに、その隙間に容器の胴部を収納する一方、容器の香り噴出管を前後２つの胴部カバー部の間に跨がる天井部の孔に挿入し、更に、接着剤を塗布したのり代部を後方胴部カバー部の裏面に貼着し、かつ、フック部の第１谷折り部を谷折りするとともに第４山折り部を山折りしてフック部をＬ字状に屈折させて成る請求項１に記載の香りお試し具。
【請求項４】
前記前方胴部カバー部がその中央に容器押圧用の目印を表示して成る請求項２又は３に記載の香りお試し具。
【請求項５】
前記前方胴部カバー部が容器内に収容した香料の名前や香りのキャッチフレーズを表示して成る請求項２又は３に記載の香りお試し具。
【請求項６】
前記化粧板が紙やラミネート材、合成樹脂製のプレートから成る請求項２又は３に記載の香りお試し具。
【考案の詳細な説明】
【技術分野】
【０００１】
本考案は、スーパー、コンビニ、ドラックストア等で販売されている香水、化粧品、洗剤、芳香剤、消臭剤、防虫剤等の製品に添加されている香りの特色など、製品を購入する前に確かめることができる香りお試し具に関するものである。
【背景技術】
【０００２】
このような香りお試し具として、例えば香料が収納されている香料収納体を押圧することによって香料収納体内の香りを外部に噴出させるようになしたものが知られている。
【０００３】
このような香りお試し具は、例えば香料収納体を背面に装着した香料収納体取付部と押圧部をその頂点でＶ字状に山折りしたものなどが挙げられるが、安定性に欠ける。したがって、前後方向に倒れたり、香料収納体取付部と押圧部が離反する方向に開脚してへたり込む恐れがある。
また、このような香りお試し具は、商品陳列棚への取り付け具がもうけられていないので、商品と香りお試し具とが一致しない場合が生じるなどの問題点もある。
【考案の概要】
【考案が解決しようとする課題】
【０００４】
本考案は、形状が斬新で人目に付きやすく、かつ、製造が容易でコスト削減も可能であり、更に、転倒しないようにスーパー、コンビニ、ドラックストア等の商品陳列棚に簡単に取り付けることができるとともに、香りの特色などを確かめるお試し操作を簡単に行うことができる香りお試し具を提供することにある。
【課題を解決するための手段】
【０００５】
この請求項１に係る香りお試し具は、胴部及び香り噴出管を弾力性のある柔らかい合成樹脂によって一体的に形成した容器と、前記胴部を収容するとともに前記香り噴出管を外部に突出させた化粧ケースと、該化粧ケースに設けたフック部から成ることを特徴とする。
【０００６】
この請求項２に係る香りお試し具は、前記化粧ケースが短冊状の化粧板で形成され、該化粧板をその中央に位置している基準山折り部で山折りして前後２つの胴部カバー部を対向させるとともに、その隙間に容器の胴部を収容する一方、容器の香り噴出管を後方胴部カバー部の第２谷折り部に設けた第２の孔と、前方胴部カバー部の第１山折り部に設けた第１の孔に挿入し、更に、後方胴部カバー部に設けた第２、第３の２つの谷折り部を谷折りしてフック部をＬ字状に屈折させて成ることを特徴とする。
【０００７】
この請求項３に係る香りお試し具は、前記化粧ケースが短冊状の化粧板で形成され、該化粧板の第１、第２の２つの山折り部を山折りして前後２つの胴部カバー部を対向させるとともに、その隙間に容器の胴部を収納する一方、容器の香り噴出管を前後２つの胴部カバー部の間に跨がる天井部の孔に挿入し、更に、接着剤を塗布したのり代部を後方胴部カバー部の裏面に貼着し、かつ、フック部の第１谷折り部を谷折りするとともに第４山折り部を山折りしてフック部をＬ字状に屈折させて成ることを特徴とする。
【０００８】
この請求項４に係る香りお試し具は、前記前方胴部カバー部がその中央に容器押圧用の目印を表示して成ることを特徴とする。
【０００９】
この請求項５に係る香りお試し具は、前方胴部カバー部が容器内に収容した香料の名前や香りのキャッチフレーズを表示して成ることを特徴とする。
【００１０】
この請求項６に係る香りお試し具は、化粧板が紙やラミネート材、合成樹脂製のプレートから成ることを特徴とする。
【考案の効果】
【００１１】
本考案は、胴部及び香り噴出管を弾力性のある柔らかい合成樹脂によって一体的に形成した容器と、前記胴部を収容するとともに前記香り噴出管を外部に突出させた化粧ケースと、該化粧ケースに設けた装着用のフックから構成されているため、形状が斬新で人目に付き易く、かつ、製造が容易でコスト削減も可能である。また、本考案は、化粧ケースに設けたフック部によってスーパー、コンビニ、ドラックストア等の商品陳列棚の前端に立設されている商品転落防止板に簡単に装着することができるとともに、香りの特色などを確かめるお試し操作を簡単に行うことができる。
【図面の簡単な説明】
【００１２】
【図１】本考案に係る第１の香りお試し具の正面図である。
【図２】本考案に係る第１の香りお試し具の側面図である。
【図３】本考案に係る第１の香りお試し具に適用する化粧ケースの展開図である。
【図４】本考案に係る第２の香りお試し具を示す正面図である。
【図５】本考案に係る第２の香りお試し具の側面図である。
【図６】本考案に係る第２の香りお試し具に適用する化粧ケースの展開図である。
【考案を実施するための形態】
【００１３】
本考案については、先ず、第１の実施形態について説明し、次に、第２の実施形態について説明する。
【００１４】
（第１の実施形態）
図１に示すように、本考案の香りお試し具２０は、化粧ケース２１内に容器１０の胴部１１を収容するとともに香り噴出管１２を化粧ケース２１の外部に突出させている。前記容器１０は、軟質の合成樹脂、すなわち、弾力性のある柔らかい合成樹脂によって胴部１１と香り噴出管１２が一体的に成形されている。
【００１５】
上記胴部１１は、偏平状に形成され、その内部に香料ａを収容している。また、上記香り噴出管１２は、先端の出入口に鍔部を備えた管状の栓１３を着脱自在に装着している。この管状の栓１３は、格子状のろ過部（図示せず）を備え、容器１０内に収容した香料ａが外部に飛散しないしている。また、管状の栓１３は、出入口をシールやキャップ（図示せず）等によって密閉され、輸送や保管中に容器１０内の香りが外部に漏洩しないようにしている。
【００１６】
上記容器１０や管状の栓１３は、軟質の合成樹脂、すなわち、弾力性のある柔らかい合成樹脂で成形するのが好ましい。軟質の合成樹脂としては、例えば、エチレン−酢酸ビニル共重合体（EVA）のほか、ポリエチレン、ポリプロピレン、軟質塩化ビニル系樹脂などが挙げられるが、軟質の合成樹脂であれば特に限定されるものではない。
【００１７】
上記化粧ケース２１は、図３に示すような短冊状の化粧板２２によって形成されている。化粧板２２は、その中央に位置している基準山折り部２３を境にして、その一方を前方カバー部２４とし、他の一方を後方カバー部２５としている。
【００１８】
上記前方カバー部２４は、基準山折り部２３より所定の距離を隔てて第１山折り部２６を設けるとともに、第１山折り部２６よりも更に所定の距離を隔てて第１谷折り部２７を設けている。その上、基準山折り部２３と第１山折り部２６の間の区間を前方胴部カバー部２８、第１山折り部２６と第１谷折り部２７の間の区間を踊り場２９、第１谷折り部２７よりも先端部分を立ち上げ部３０としている。
【００１９】
一方、後方カバー部２５は、基準山折り部２３より所定の距離を隔てて第２谷折り部３１を設けるとともに、第２山折り部３１よりも更に所定の距離を隔てて第３谷折り部３２を設けている。その上、基準山折り部２３と第２谷折り部３１の間の区間を後方胴部カバー部３３とし、第２谷折り部３１より先端部分をフック部３４としている。なお、第１山折り部２６、及び第１、第２、第３谷折り部２７，３１，３２は、基準山折り部２３に対して平行になっている。
【００２０】
更に、第１山折り部２６に香り噴出管挿入用の第１の孔３５を設け、第２谷折り部３１に香り噴出管挿入用の第２の孔３６を設けている。また、後方胴部カバー部３３に第２の孔３６を軸心とする半円状の切欠き３７を設け、後方胴部カバー部３３の一部を胴部１１に接する挟持部３８としている。挟持部３８は、その基端に第２山折り部３９を設けている。
【００２１】
また、上記前方胴部カバー部２８は、その中央に胴部押圧用の目印４０を表示することが好ましい。目印４０としては、例えば、丸や四角などの枠内に「ＰＵＳＨ」などの文字を印刷したものなどが好ましい。
【００２２】
また、上記前方胴部カバー部２８や立ち上げ部３０には、容器１０に収容した香料の名前や香りのキャッチフレーズなどを表示する必要がある。また、その他の余白部分に香りに関連する草花の図案などを印刷することが好ましい。
【００２３】
また、上記化粧板２２は、紙製であるか、これに限定されるものではなく、例えば、ラミネート材や合成樹脂製のプレートなど用いることができる。また、上記香料ａは、多孔質の合成樹脂製ボールに香りを含浸させたものを適用しているが、これに限定されるものではなく、例えば、コットンやスポンジ、不織布などに香りを含浸させたものなどを用いることができる。
【００２４】
図２に示すように、本考案の香りお試し用具２０は、短冊状の化粧板２２をその中央に位置している基準山折り部２３で山折りして前方胴部カバー部２８と後方胴部カバー部３３を対向させるとともに、前後２つの胴部カバー部２８，３３の間の隙間４１に容器１０の胴部１１を収容する一方、香り噴出管１２を後方胴部カバー部３３の第２谷折り部３１に設けた第２の孔３６と、前方胴部カバー部２８の第１山折り部２６に設けた第１の孔３５に挿入している。
【００２５】
このため、容器１０は、前後する２つの胴部カバー部２８，３３と、後方胴部カバー部３３の一部によって形成された挟持部３８によって支持されている。また、後方胴部カバー部３３に設けた第２及び第３の２つの谷折り部３１，３２を谷折りすることによってフック部３４がＬ字状に屈折されるので、商品陳列棚５１の前端に設けられている商品転落防止板５２に装着させることができる。
【００２６】
上記菅状の栓１３の出入口を密閉しているシールやキャップ等を除去した後、前方胴部カバー部２８の目印４０を押圧すると、容器１０の胴部１１が商品陳列棚５１の前端に設けられている商品転落防止板５２に押し付けられ、香り噴出管１２から容器１０内の香りが放出されるので、香りの特性などを確認することができる。
【００２７】
（第２の実施形態）
本考案の第２の実施形態は、第１の実施形態における化粧ケース２１を簡略化したものであり、容器１０自体に何ら変更がない。したがって、容器１０については、同じ部位に同じ符号を付けて詳しい説明を省略する。
【００２８】
図４に示すように、本考案の香りお試し用具６０は、化粧ケース６１内に容器１０の胴部１１を収容するとともに香り噴出管１２を化粧ケース６１の外部に突出させている。
【００２９】
上記化粧ケース６１は、図６に示すような短冊状の化粧板６２によって形成されている。化粧板６２は、その中央に天井部６３を備え、その一方の側に前方胴部カバー部６４とのり代部６５を備え、他の一方の側に後方胴部カバー部６６とフック部６７を備えている。上記天井部６３は、香り噴出管挿入用の孔６８を設けている。
【００３０】
上記化粧板６２は、天井部６３と前方胴部カバー部６４の境目に第１山折り部６９を設けるとともに、前方胴部カバー部６４とのり代部６５の境目に第３山折り部７０を設け、更に、天井部６３と後方胴部カバー部６６の境目に第２山折り部７１を設けている。
【００３１】
上記後方胴部カバー部６６は、その一部にＵ字状の切欠き７２を設けて後方胴部カバー部６６の一部をフック部６７として利用するようにしている。なお、フック部６７の基端は、第１谷折り部７３になっている。また、フック部６７は、第４山折り部７４を備えている。なお、第１〜第４山折り部６９，７１，７０，７４及び第１谷折り部７３は、互いに平行になっている。
【００３２】
更に、上記前方胴部カバー部６４は、その中央に胴部押圧用の目印７５を表示することが好ましい。この目印７５は、例えば、丸や四角の枠内に「ＰＵＳＨ」などの文字を印刷したものなどが好ましい。
【００３３】
また、上記前方胴部カバー部６４には、容器１０内に収容した香料の名前や香りのキャッチフレーズなどを表示する必要がある。また、その他の余白部分に香りに関連する草花の図案などを印刷することが好ましい。また、上記化粧ケース６１は、紙製であるが、これに限定されるものではなく、例えば、ラミネート材や合成樹脂製のプレートなどを適用することができる。
【００３４】
また、上記香料ａは、多孔質の合成樹脂製ボールに香りを含浸させたものを適用しているが、これに限定されるものではなく、例えば、コットンやスポンジ、不織布などに香りを含浸させたものなどを適用することができる。
【００３５】
図５に示すように、本考案の香りお試し用具６０は、化粧板６２の第１、第２の２つの山折り部６９，７１を山折りして前後２つの胴部カバー部６４，６６を対向させるとともに、その間にできた隙間７６に容器１０の胴部１１を収納するとともに、香り噴出管１２を天井部６３に設けた孔６８に挿入し、更に、接着剤を塗布したのり代部６５を後方胴部カバー部６６の裏面に貼着している。
【００３６】
更に、フック部６７の第１谷折り部７３を谷折りするとともにフック部６７に設けた第４山折り部７４を山折りしてフック部６７をＬ字状に屈曲させている。このため、フック部６７を商品陳列棚５１の前端に設けられている商品転落防止板５２に装着することができる。
【００３７】
上記菅状の栓１３の出入口を密閉しているシールやキャップを除去した後、前方胴部カバー部６４の目印７５を押圧すると、容器１０の胴部１１が商品陳列棚５１の前端に設けられている商品転落防止板５２に押し付けられ、香り噴出管１２から容器１０内の香りが放出されるので、香りの特色などを確認することができる。
【００３８】
なお、本考案における香りお試し具は、第１の実施形態におけるフック部３４や、第２の実施形態におけるフック部６７を形成させることなく、商品陳列棚に取り付けずに、独立して香りお試し具として用いることもできる。
【符号の説明】
【００３９】
１０  容器
１１  胴部
１２  香り噴出管
２１  化粧ケース
【図１】
0003213765.tif 000003
【図２】
0003213765.tif 000004
【図３】
0003213765.tif 000005
【図４】
0003213765.tif 000006
【図５】
0003213765.tif 000007
【図６】
0003213765.tif 000008